(57)【要約】【課題】移動体マルチホップ中継システムにおけるトラフィックの変動に対して柔軟に対応することができる無線通信装置を提供する。【解決手段】有線通信部と、無線通信を行うことができる無線通信部と、動作モードとして第１モードと第２モードのいずれかが設定され、制御装置から第１モードが指示された場合、無線通信部の送信電力を所定の第１設定値に設定し、制御装置から指示されたタイミングで移動体マルチホップ中継システムの基地局として有線通信部で受信した情報を無線通信部で送信すると共に無線通信部で受信した情報を有線通信部で送信し、制御装置から第２モードが指示された場合、無線通信部の送信電力を所定の第１設定値より小さい第２設定値に設定し、制御装置から指示されたタイミングで移動体マルチホップ中継システムの中継局として無線通信部で受信した情報を無線通信部で送信する通信制御部とを備えた。【選択図】図２
2008283384.tif 000002
【特許請求の範囲】
【請求項１】
移動体マルチホップ中継システムに用いられる無線通信装置であって、
前記移動体マルチホップ中継システムの制御を行う制御装置との有線通信を行うことができる有線通信部と、
前記移動体マルチホップ中継システムの移動局、基地局、中継局、自己以外の無線通信装置の少なくともいずれかとの無線通信を行うことができる無線通信部と、
動作モードとして第１モードと第２モードのいずれかが設定され、前記制御装置から第１モードが指示された場合、前記無線通信部の送信電力を所定の第１設定値に設定し、前記制御装置から指示されたタイミングで前記移動体マルチホップ中継システムの基地局として前記有線通信部で受信した情報を前記無線通信部で送信すると共に前記無線通信部で受信した情報を前記有線通信部で送信し、前記制御装置から第２モードが指示された場合、前記無線通信部の送信電力を所定の第１設定値より小さい第２設定値に設定し、前記制御装置から指示されたタイミングで前記移動体マルチホップ中継システムの中継局として前記無線通信部で受信した情報を前記無線通信部で送信する通信制御部と
を備える無線通信装置。
【発明の詳細な説明】
【技術分野】
【０００１】
本発明は、移動体マルチホップ中継システムにおける無線通信装置に関するものである。
【背景技術】
【０００２】
ＯＦＤＭ（Orthogonal Frequency Division Multiplexing：直交周波数分割多重）は、日本・欧州の地上波デジタルＴＶ放送、ＡＤＳＬ、高速無線ＬＡＮ規格のＩＥＥＥ８０２．１１ａなど、ブロードバンドやユビキタス・ネットワークを実現する多くの放送・通信アプリケーションに採用されている。
【０００３】
ＯＦＤＭは、中心周波数が異なる複数のサブキャリア（副搬送波）を利用することで、高い周波数効率を実現している。送信するデータを細かく分割し、複数のサブキャリアに乗せて並列に伝送する多重通信方式である。データを分割することで、１つのサブキャリア当りのシンボル伝送速度をシリアル転送する場合よりも遅くすることができ、位相補正などに使用されるパイロット信号を挿入することもできる。このため、全体としてフェージング（無線通信において信号の強度等が時間的・空間的に大きく変化する現象）の影響を小さくすることができる。
【０００４】
また、ＯＦＤＭは、隣り合うサブキャリアの帯域が重なり合うほど近接させても干渉することがないよう、互いに直交させて送信を行う。加えてＯＦＤＭは、データを時間的に一部重複させて送るガードインターバルを用いており、乱反射などによって受信地点に時間的にズレを持った信号（ゴースト）が到来しても、マルチパス障害が出ないシステムを実現できる。この特長が、マルチパスが発生しやすい地上波デジタルＴＶ放送にＯＦＤＭが採用された大きな理由の一つである。
【０００５】
ＯＦＤＭＡ（Orthogonal Frequency Division Multiple Access：直交周波数分割多元接続）は、ＯＦＤＭと同じように搬送波を複数のサブキャリアに分割するが、分割されたサブキャリアをグループ化する点がＯＦＤＭとは異なる。グループ内のサブキャリアをサブチャネルと呼び、単一の加入者がこれらのサブチャネルを占有する場合もあれば、複数の加入者でサブチャネルを共有する場合もある。
【０００６】
ＯＦＤＭＡを採用したシステムとしてＷｉＭＡＸ（Worldwide Interoperability for Microwave Access）がある。ＷｉＭＡＸは、標準規格ＩＥＥＥ８０２．１６として規定されている（例えば、非特許文献１参照）。
【０００７】
また、中継に関してＩＥＥＥ８０２．１６を拡張した規格ＩＥＥＥ８０２．１６ｊがある。このＩＥＥＥ８０２．１６ｊにおいては、ＭＭＲ（Mobile Multi-hop Relay：移動体マルチホップ中継）が用いられる。
【０００８】
図６は、従来のＭＭＲシステムの構成を示すブロック図である。このＭＭＲシステムは、ＭＭＲ−ＢＳ（Base Station：基地局）１と複数のＭＳ（Mobile Station：移動局）２の他に、ＲＳ（Relay Station：中継局）３を備える。ＭＭＲ−ＢＳとＭＳ２は、無線通信を行う。また、ＲＳ３は、ＭＭＲ−ＢＳ１のサービスエリア内に存在し、ＭＭＲ−ＢＳ１とＭＳ２の間の無線通信の中継を行う。ＭＭＲ−ＢＳ１は、有線ネットワークを介してＡＳＮ−ＧＷ（Access Service Network-Gateway）４に接続される。ＡＳＮ−ＧＷ４は、バックボーンネットワーク９に接続される。この図において、ＭＭＲ−ＢＳ１を中心とする円は、ＭＭＲ−ＢＳ１のサービスエリアを表し、その半径はＭＭＲ−ＢＳ１のセル半径を表す。同様に、ＲＳ３を中心とする円は、ＲＳ３のサービスエリアを表し、その半径はＲＳ３のセル半径を表す。
【０００９】
図７は、従来のＭＭＲ−ＢＳの構成を示すブロック図である。このＭＭＲ−ＢＳ１は、デジタルユニット１１（Digital Unit）とＲＦ（Radio Frequency）ユニット１２（RF Unit）を備える。デジタルユニット１１は、ＭＭＲ−ＢＳ１におけるＰＨＹ（Physical）層の処理を行うＰＨＹ処理部２１（ＭＭＲ−ＰＨＹ）、ＭＭＲ−ＢＳ１におけるＭＡＣ（Media Access Control）層の処理を行うＭＡＣ処理部２２（ＭＭＲ−ＭＡＣ）、ＡＳＮ−ＧＷ４との有線通信を行うネットワーク処理部２３（Network Processing）を備える。ＲＦユニット１２は、ＲＦ処理部２４（ＲＦ）を備える。
【００１０】
図８は、従来のＲＳの構成を示すブロック図である。このＲＳ３は、デジタルユニット３１とＲＦユニット３２を備える。デジタルユニット３１は、ＲＳ３におけるＰＨＹ層の処理を行うＰＨＹ処理部４１（ＲＳ−ＰＨＹ）、ＲＳ３におけるＭＡＣ層の処理を行うＭＡＣ処理部４２（ＲＳ−ＭＡＣ）を備える。ＲＦユニット３２は、ＲＦ処理部４４（ＲＦ）を備える。
【００１１】
ＡＳＮ−ＧＷ４からＭＳ２へ送信されるデータは、まず有線ネットワークからＭＭＲ−ＢＳ１のネットワーク処理部２３へ送信され、ＭＡＣ処理部２２でＭＡＣ層の送信処理が行われ、ＰＨＹ処理部２１でＰＨＹ層の送信処理が行われ、ＲＦ処理部２４でＤ／Ａ変換されてキャリア周波数にアップコンバートされ無線信号として無線送信される。
【００１２】
また、ＭＭＲ−ＢＳ１、ＭＳ２、自己以外のＲＳのいずれかからの無線信号がＲＳ３で受信されると、ＲＦ処理部３２で所定の周波数にダウンコンバートされてＡ／Ｄ変換され、ＰＨＹ処理部４１でＰＨＹ層の受信処理が行われ、ＭＡＣ処理部４２でＭＡＣ層の受信処理が行われ、その情報ＭＡＣ処理部４２でＭＡＣ層の送信処理が行われ、ＰＨＹ処理部４１でＰＨＹ層の送信処理が行われ、ＲＦ処理部４４でＤ／Ａ変換されてキャリア周波数にアップコンバートされ無線信号として無線送信される。
【００１３】
また、ＭＳ２またはＲＳ３からの無線信号がＭＭＲ−ＢＳ１で受信されると、ＲＦ処理部１２で所定の周波数にダウンコンバートされてＡ／Ｄ変換され、ＰＨＹ処理部２１でＰＨＹ層の受信処理が行われ、ＭＡＣ処理部２２でＭＡＣ層の受信処理が行われ、ネットワーク処理部２４で有線ネットワークを介してＡＳＮ−ＧＷ４へ送信される。
【００１４】
通常、ＭＭＲ−ＢＳ１のＲＦ処理部２４の送信電力より、ＲＳ３のＲＦ処理部４４の送信電力は小さい。従って、ＭＭＲ−ＢＳ１のサービスエリア（セル半径）より、ＲＳ３のサービスエリアは小さい。
【００１５】
このようにして、ＭＭＲ−ＢＳ１またはＲＳ３からの無線信号は、ＭＳ２で受信される。このようなＭＭＲシステムによれば、ＭＳ２がＭＭＲ−ＢＳ１のサービスエリアの境界付近に存在する場合やサービスエリア内でＭＭＲ−ＢＳ１とＭＳ２が見通し外になる場合において、安定した通信を行うことができる。
【００１６】
次に、ＭＭＲ−ＢＳ１における送信時の処理について説明する。
【００１７】
ＭＭＲ−ＢＳ１において、ＡＳＮ−ＧＷ４から加入者（ＭＳ２）への送信データとＭＡＣ処理部２２からの割当て情報は、どちらか一方が選択され、ＰＨＹ処理部２１に入力される。ここで、割当て情報は、以下の３つの情報を含む。
【００１８】
ＦＣＨ（Frame Control Header：フレーム制御ヘッダ）
ＤＬ−ＭＡＰ（Downlink MAP：下り回線の割当て情報）
ＵＬ−ＭＡＰ（Uplink MAP：上り回線の割当て情報）
【００１９】
また、加入者への送信データは、通信している複数の加入者分のデータを含む。ここで、加入者への送信データ、割当て情報は、共にＭＡＣ処理部２２から出力されるＰＤＵ（Protocol Data Unit：プロトコルデータ単位）に１つずつ含まれており、ＰＤＵはＭＡＣヘッダ、ペイロード、ＣＲＣ（Cyclic Redundancy Check：誤り検出符号）から構成されている。
【００２０】
ＰＨＹ処理部２１は、入力されたデータに対して、ランダム化、誤り訂正符号化、ビットインターリーブ、変調マッピング、ＯＦＤＭＡ多重化を行い、送信信号としてＲＦ処理部２４へ出力する。
【００２１】
ＲＦ処理部２４は、入力された送信信号に対して、送信フィルタリング、アップコンバート、増幅を行い、無線信号としてアンテナから送信する。
【００２２】
次に、ＭＭＲ−ＢＳ１における送信時の処理について説明する。
【００２３】
ＲＦ処理部２４は、アンテナで受信した無線信号に対して、増幅、ダウンコンバート、受信フィルタリングを行い、受信信号としてＰＨＹ処理部２１へ出力する。
【００２４】
ＰＨＹ処理部２１は、ＲＦ処理部２４から入力された受信信号に対して、ＯＦＤＭＡ分割、復調デマッピング、ビットデインターリーブ、誤り訂正復号、ランダム化復元を行い、受信データとしてＭＡＣ処理部２２へ出力する。
【００２５】
ＭＡＣ処理部２２は、データバーストのサブチャネル割り当てを時間領域上で適応的に行うスケジューリングを行う。スケジューリング結果である割当て情報は、以下の３つの情報を含む。
【００２６】
ＦＣＨ（フレーム制御ヘッダ）：後に続く下りバーストのプロファイルを規定している。具体的には、ＤＬ−ＭＡＰのプロファイル（ＤＬ−ＭＡＰで使用する誤り訂正符号の種類、ＤＬ−ＭＡＰメッセージの長さ等）を示す。
【００２７】
ＤＬ−ＭＡＰ（下り回線の割当て情報）：下りサブフレームにおけるデータバーストのマッピング情報（フレーム番号、フレーム長、各データバーストの開始ＯＦＤＭＡシンボル番号、開始サブチャネル論理番号、各データバーストを伝送するのに必要なＯＦＤＭＡシンボル数等）を示し、また、下りサブフレームにおける各データバーストの物理層のプロファイル（変調方式、誤り訂正符号化方式、符号化率等）を規定する。
【００２８】
ＵＬ−ＭＡＰ（上り回線の割当て情報）：上りサブフレームにおけるデータバーストのマッピング情報（各データバーストの開始ＯＦＤＭＡシンボル番号、開始サブチャネル論理番号、各データバーストを伝送するのに必要なＯＦＤＭＡシンボル数等）を示し、また、上りサブフレームにおける各データバーストの物理層のプロファイル（変調方式、誤り訂正符号化方式、符号化率等）を規定する。
【００２９】
ＦＣＨ、ＤＬ−ＭＡＰ、ＵＬ−ＭＡＰは全てのＭＳにブロードキャストされる。ＲＳ３は、所属するＭＭＲ−ＢＳ１と同一のＰｒｅａｍｂｌｅ、ＦＣＨ、ＤＬ−ＭＡＰ、ＵＬ−ＭＡＰを送信する。
【００３０】
なお、本発明に関連ある従来技術として、基地局と移動局が中継局経由で通信するＰ−ＭＰ（Point to Multipoint）方式の無線データ通信における移動局のハンドオーバ方法がある（例えば、特許文献１参照）。
【特許文献１】特開２００６−３１１２５３
【非特許文献１】ＩＥＥＥ  Ｓｔｄ  ８０２．１６−２００４，“Ｐａｒｔ１６：Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ”，２００４、［ｏｎｌｉｎｅ］  インターネット＜ＵＲＬ：ｈｔｔｐ：／／ｓｔａｎｄａｒｄｓ．ｉｅｅｅ．ｏｒｇ／ｇｅｔｉｅｅｅ８０２／８０２．１６．ｈｔｍｌ＞
【発明の開示】
【発明が解決しようとする課題】
【００３１】
しかしながら、ＭＭＲ−ＢＳ１及びＲＳ３は、予め行われるセル設計に従って配置されるものであり、イベントなどにより急激なトラフィックの増加が発生した場合に、安定した通信を行うことができない。
【００３２】
本発明は上述した問題点を解決するためになされたものであり、移動体マルチホップ中継システムにおけるトラフィックの変動に柔軟に対応することができる無線通信装置を提供することを目的とする。
【課題を解決するための手段】
【００３３】
上述した課題を解決するため、本発明は、移動体マルチホップ中継システムに用いられる無線通信装置であって、前記移動体マルチホップ中継システムの制御を行う制御装置との有線通信を行うことができる有線通信部と、前記移動体マルチホップ中継システムの移動局、基地局、中継局、自己以外の無線通信装置の少なくともいずれかとの無線通信を行うことができる無線通信部と、動作モードとして第１モードと第２モードのいずれかが設定され、前記制御装置から第１モードが指示された場合、前記無線通信部の送信電力を所定の第１設定値に設定し、前記制御装置から指示されたタイミングで前記移動体マルチホップ中継システムの基地局として前記有線通信部で受信した情報を前記無線通信部で送信すると共に前記無線通信部で受信した情報を前記有線通信部で送信し、前記制御装置から第２モードが指示された場合、前記無線通信部の送信電力を所定の第１設定値より小さい第２設定値に設定し、前記制御装置から指示されたタイミングで前記移動体マルチホップ中継システムの中継局として前記無線通信部で受信した情報を前記無線通信部で送信する通信制御部とを備える。
【発明の効果】
【００３４】
本発明によれば、移動体マルチホップ中継システムにおけるトラフィックの変動に柔軟に対応することができる。
【発明を実施するための最良の形態】
【００３５】
以下、本発明の実施の形態について図面を参照しつつ説明する。
【００３６】
本実施の形態においては、本発明の無線通信装置を適用した共用装置、この共用装置を用いたＭＭＲシステムについて説明する。
【００３７】
まず、本実施の形態に係るＭＭＲシステムの構成について説明する。
【００３８】
図１は、本実施の形態に係るＭＭＲシステムの構成の一例を示すブロック図である。この図において、図６と同一符号は図６に示された対象と同一又は相当物を示しており、ここでの説明を省略する。図６と比較すると、このＭＭＲシステムは、ＭＭＲ−ＢＳ１及びＲＳ３の代わりに共用装置５ａ，５ｂを備え、ＡＳＮ−ＧＷ４の代わりにＡＳＮ−ＧＷ６を備える。共用装置５ａ，５ｂは、有線ネットワークを介してＡＳＮ−ＧＷ６に接続される。
【００３９】
共用装置５ａ，５ｂは、ＭＭＲ−ＢＳ１の機能とＲＳ３の機能を有し、動作モードとしてＭＭＲ−ＢＳ１の機能を実行するＢＳモード（第１モード）とＲＳ３の機能を実行するＲＳモード（第２モード）のいずれかが設定される。ＡＳＮ−ＧＷ６からの指示に従って切り替え処理を行うことにより、共用装置５ａ，５ｂは動作モードを切り替えることができる。ＡＳＮ−ＧＷ６は、従来のＭＭＲ−ＢＳ、ＲＳの管理と同様にして、ＢＳモードの共用装置とＲＳモードの共用装置を管理する。更に、ＡＳＮ−ＧＷ６は、無線チャネルの使用状況に基づいて共用装置５ａ，５ｂの動作モードの切り替えを指示する。
【００４０】
予めセル設計により、ＭＭＲ−ＢＳのセル半径であるＢＳセル半径と、ＲＳのセル半径であるＲＳセル半径とが決定され、ＢＳセル半径を実現するための送信電力であるＢＳ送信電力（第１設定値）と、ＲＳセル半径を実現するための送信電力であるＲＳ送信電力（第２設定値）とが決定される。上述したように、ＢＳセル半径よりＲＳセル半径は小さく、ＢＳ送信電力よりＲＳ送信電力は小さい。更に、ＢＳモードの通信容量よりＲＳモードの通信容量は小さい。また、共用装置５ａ，５ｂは、互いにＢＳセル半径内に（無線通信可能な位置に）配置される。
【００４１】
次に、本実施の形態に係る共用装置の構成について説明する。
【００４２】
図２は、本実施の形態に係る共用装置の構成の一例を示すブロック図である。この共用装置５は、デジタルユニット５１とＲＦユニット５２を備える。デジタルユニット５１は、ＰＨＹ処理部２１及びＰＨＹ処理部４１の機能を有しそれらの機能を外部からの指示により切り替えることができるＰＨＹ処理部６１（integrated-PHY）、ＭＡＣ処理部２２及びＭＡＣ処理部４２の機能を有しそれらの機能を外部からの指示により切り替えることができるＭＡＣ処理部６２（integrated-MAC）、有線ネットワークとの通信を行うネットワーク処理部６３（Network Processing）を備える。ＲＦユニット５２は、ＲＦ処理部２４及びＲＦ処理部４４の機能を有するＲＦ処理部６４（ＲＦ）を備える。
【００４３】
なお、制御装置は、実施の形態におけるＡＳＮ−ＧＷ６に対応する。また、有線通信部は、ネットワーク処理部６３に対応する。また、無線通信部は、実施の形態におけるＲＦ処理部６４に対応する。通信制御部は、実施の形態におけるＰＨＹ処理部６１及びＭＡＣ処理部６２に対応する。
【００４４】
ＢＳモードに設定された場合、共用装置５ａ，５ｂのネットワーク処理部６３は、ＡＳＮ−ＧＷ６との有線接続を有効とする。このとき、ＰＨＹ処理部６１は、ＰＨＹ処理部２１の機能（ＭＭＲ−ＢＳにおけるＰＨＹ層の処理）を実行し、
ＭＡＣ処理部６２は、ＭＡＣ処理部２２の機能（ＭＭＲ−ＢＳにおけるＭＡＣ層の処理）を実行する。
【００４５】
ＲＳモードに設定された共用装置５ａ，５ｂのネットワーク処理部６３は、ＡＳＮ−ＧＷ６との有線接続を無効とする。このとき、ＰＨＹ処理部６１は、ＰＨＹ処理部４１の機能（ＲＳにおけるＰＨＹ層の処理）を実行し、ＭＡＣ処理部６２は、ＭＡＣ処理部４２の機能（ＲＳにおけるＭＡＣ層の処理）を実行する。
【００４６】
次に、ＭＭＲシステムにおける切り替え処理について説明する。
【００４７】
図３は、本実施の形態に係るＭＭＲシステムにおける切り替え処理の一例を示す。ここで、共用装置５ａがＢＳモードに設定され、共用装置５ｂがＲＳモードに設定されているとする。この状態において、ＡＳＮ−ＧＷ６は、共用装置５ａ，５ｂにおけるチャネルの使用状況を監視し、動作モードの切り替えが必要と判断すると、共用装置５ａに切り替え指示のメッセージを有線送信する（Ｓ１１）。ここで、ＡＳＮ−ＧＷ６は、例えば、ＢＳモードの共用装置５ａとＲＳモードの共用装置５ｂについてデータ帯域幅やユーザ数のパラメータを比較し、このパラメータについて共用装置５ａより共用装置５ｂが高くなった場合、切り替えが必要と判断する。切り替え指示のメッセージを受信した共用装置５ａは、この切り替え指示を共用装置５ｂへ無線送信する（Ｓ１２）。
【００４８】
切り替え指示のメッセージを受信した共用装置５ｂにおいて、ネットワーク処理部６３は、ＡＳＮ−ＧＷ６との有線接続を有効にする（Ｓ１３）。この有線接続が確立されると、共用装置５ｂのＲＦ処理部６４は、セル半径がＢＳセル半径になるように、送信電力をＢＳ設定値まで増加させる（Ｓ１４）。次に、共用装置５ｂのネットワーク処理部６３は、共用装置５ａへの応答としてセル確立完了のメッセージを無線送信する（Ｓ１５）。
【００４９】
セル確立完了のメッセージを受信した共用装置５ａは、ＡＳＮ−ＧＷ６への応答として切り替え準備完了のメッセージを有線送信する（Ｓ１６）。切り替え準備完了のメッセージを受信したＡＳＮ−ＧＷ６は、切り替えタイミングのメッセージを共用装置５ａ，５ｂへ有線送信する（Ｓ２１）。
【００５０】
ＡＳＮ−ＧＷ６、共用装置５ａ，５ｂは、切り替えタイミングに従って共用装置５ａ，５ｂの動作モードの切り替えを行う（Ｓ２２）。ここで、切り替えタイミングは、フレーム間の境界である５ｍｓの間に設定され、ＡＳＮ−ＧＷ６、共用装置５ａ，５ｂは、その５ｍｓの間に動作モードの切り替えを完了する。共用装置５ａのＲＦ処理部６４は、セル半径がＲＳセル半径になるように、送信電力をＲＳ設定値まで減少させ（Ｓ２３）、共用装置５ａのネットワーク処理部６３は、ＡＳＮ−ＧＷ６との有線接続を無効にし（Ｓ２４）、このフローは終了する。
【００５１】
この切り替え処理により、共用装置５ａはＲＳモードに設定されてＲＳとして動作し、共用装置５ｂはＢＳモードに設定されてＢＳとして動作する。
【００５２】
上述したように、共用装置５ｂがＲＳモードからＢＳモードに切り替わり共用装置５ｂのセル半径が増大するだけでなく、同時に共用装置５ａがＢＳモードからＲＳモードに切り替わり共用装置５ａのセル半径が減少することにより、共用装置５ａ，５ｂのサービスエリアの重なりを抑え、干渉を抑えることができる。
【００５３】
また、ＭＳ２は、ＩＥＥＥ８０２．１６ｅの規定に従うものであり、ＡＳＮ−ＧＷ６から共用装置５ａ，５ｂを介して送られてくる周囲のＭＭＲ−ＢＳ（ＢＳモードの共用装置を含む）、ＲＳ（ＲＳモードの共用装置を含む）の情報を元に、ＣＩＮＲ（Carrier to Interference and Noise Ratio）の悪化を認識すると、ＭＳ２の主導でハンドオーバを行う。本実施の形態において、共用装置５ａ，５ｂが切り替え処理を行うことで無線状態が悪化するＭＳ２がある場合、そのＭＳ２は、上述したハンドオーバを行う。
【００５４】
図４は、本実施の形態に係るＭＭＲシステムの第１状態を示す平面図である。この第１状態には、共用装置５ａ，５ｂ、複数のＭＳ２が存在する。第１状態において、共用装置５ａは、ＢＳモードに設定され、共用装置５ｂは、ＲＳモードに設定されているとする。従って、共用装置５ａのセル半径は、ＢＳセル半径となり、共用装置５ｂのセル半径は、ＲＳセル半径となる。
【００５５】
更に、共用装置５ａのサービスエリアの境界付近、且つ共用装置５ｂのサービスエリア内に、イベント会場１０が設置されたとする。これにより、イベント会場１０付近にＭＳ２が集中し、トラフィックが増大する。その結果、イベント会場１０付近のＭＳは、十分な通信容量を確保することができず、通信速度が遅い、あるいは無線接続できない等の障害が発生する可能性が高くなる。
【００５６】
このような場合に、ＡＳＮ−ＧＷ６は、上述した切り替え処理を実行する。第１状態において切り替え処理が実行されることにより、ＭＭＲシステムは、第２状態へ遷移する。
【００５７】
図５は、本実施の形態に係るＭＭＲシステムの第２状態を示す平面図である。この図において、図４と同一符号は図４に示された対象と同一又は相当物を示しており、ここでの説明を省略する。第２状態において、共用装置５ａは、ＲＳモードに設定され、共用装置５ｂは、ＢＳモードに設定されている。従って、共用装置５ａのセル半径は、ＲＳセル半径となり、共用装置５ｂのセル半径は、ＢＳセル半径となる。
【００５８】
ＲＳモードの通信容量よりＢＳモードの通信容量が大きいため、第２状態において、共用装置５ｂがＢＳモードで動作することにより、イベント会場１０付近の通信用量を確保することができる。更に、通信容量が大きくなった共用装置５ｂが、イベント会場１０付近のＭＳ２のコーディングレート、変調方式を変更して、イベント会場１０付近のユーザ数を増大させることができる。
【００５９】
なお、デジタルユニット５１は、ＣＰＵ（Central Processing Unit）やＤＳＰ（Digital Signal Processor）で構成されても良い。この場合、ＰＨＹ処理部６１、ＭＡＣ処理部６２は、ＣＰＵやＤＳＰで実行されるソフトウェアとして実現される。
【００６０】
本実施の形態によれば、ＭＭＲ−ＢＳの機能とＲＳの機能を持たせ、ＡＮＳ−ＧＷの指示で切り替えることができる共用装置を用いることにより、ＭＭＲシステムにおける柔軟なセルの配置を行うことができ、ユーザ満足度を向上させることができる。
【図面の簡単な説明】
【００６１】
【図１】本実施の形態に係るＭＭＲシステムの構成の一例を示すブロック図である。
【図２】本実施の形態に係る共用装置の構成の一例を示すブロック図である。
【図３】本実施の形態に係るＭＭＲシステムにおける切り替え処理の一例を示す。
【図４】本実施の形態に係るＭＭＲシステムの第１状態を示す平面図である。
【図５】本実施の形態に係るＭＭＲシステムの第２状態を示す平面図である。
【図６】従来のＭＭＲシステムの構成を示すブロック図である。
【図７】従来のＭＭＲ−ＢＳの構成を示すブロック図である。
【図８】従来のＲＳの構成を示すブロック図である。
【符号の説明】
【００６２】
２  ＭＳ、５ａ，５ｂ  共用装置、６  ＡＳＮ−ＧＷ、９  バックボーンネットワーク、１０  イベント会場。
【図１】
2008283384.tif 000003
【図２】
2008283384.tif 000004
【図３】
2008283384.tif 000005
【図４】
2008283384.tif 000006
【図５】
2008283384.tif 000007
【図６】
2008283384.tif 000008
【図７】
2008283384.tif 000009
【図８】
2008283384.tif 000010